(57)【特許請求の範囲】
【請求項１】
投写光源と、前記投写光源からの白色光をＲＧＢ３原色光の内の第１の原色光と他の第２及び第３の原色光とに分離する色光分離手段と、前記第１の原色光の強度変調を行う液晶ライトバルブＡと、前記液晶ライトバルブＡと同一ピッチの画素構造で、且つ、前記第２の原色光に対応した色フィルターを装備した第２の原色光用画素及び前記第３の原色光に対応した色フィルターを装備した第３の原色光用画素を同一基板内に位置選択的に配置して前記第２及び第３の原色光の強度変調を行う液晶ライトバルブＢと、前記液晶ライトバルブＡ及び前記液晶ライトバルブＢにより強度変調された色光を光学的に合成する色光合成手段と、前記色光合成手段で合成された色光により形成された画像をスクリーンに拡大投写する投写レンズ手段とで構成される投写型液晶表示装置に於いて、
前記液晶ライトバルブＢの前記第２の原色光用画素に隣接する前記第３の原色光用画素の存在によって表示できない第２の原色光用の画像データを、前記第２の原色光用の画像データを本来表示すべき位置（以下、注目画素と呼ぶ）の最近傍に存在する前記第２の原色光用画素（以下、代替え画素と呼ぶ）を用いて表示すると共に、前記第３の原色光用画素に隣接する前記第２の原色光用画素の存在によって表示できない第３の原色光用の画像データを、前記第３の原色光用画像データを本来表示すべき位置（注目画素）の最近傍に存在する前記第３の原色光用画素（代替え画素）を用いて表示する（以下、データの補填表示と呼ぶ）手段を装備したことを特徴とする投写型液晶表示装置。
【請求項２】
前記液晶ライトバルブＢ上の前記注目画素と前記代替え画素の中間に、前記液晶ライトバルブＡの画像データ上対応する画素が位置する様に、前記色光合成手段に於ける前記液晶ライトバルブＡと前記液晶ライトバルブＢとの光学的な重ね合わせの位置関係を設定したことを特徴とする請求項１記載の投写型液晶表示装置。
【請求項３】
前記液晶ライトバルブＡに於いて強度変調される第１の原色光は白色光を構成するＲＧＢ３原色光の内の緑色光（Ｇ光）であって、前記液晶ライトバルブＢに存在する前記第２及び第３の原色光用画素は市松模様状に配列されていることを特徴とする請求項２記載の投写型液晶表示装置。
【請求項４】
前記液晶ライトバルブＡ及び液晶ライトバルブＢに入力される画像信号の種類を判別する信号判別器を装備すると共に、前記液晶ライトバルブＡ及び液晶ライトバルブＢへの入力画像信号がキャラクタ表示を中心としたデータ表示信号の時には前記データの補填表示を行い、前記入力画像信号が前記キャラクタ表示を中心としたデータ表示信号以外の時には前記データの補填表示動作を停止できるよう構成した補填動作切り替え回路を装備した事を特徴とする請求項１記載の投写型液晶表示装置。
【請求項５】
前記液晶ライトバルブＢに入力される前記第２及び第３の原色光の画像データが前記データの補填表示処理を必要とする画素であるか否かを判別する補填検出器と、前記液晶ライトバルブＢに入力される第２及び第３の原色光の画像データを選択切り替えする入力スイッチと、前記補填検出器の出力と前記入力スイッチの出力画像信号をミックスするミックス回路と、前記ミックス回路の出力画像信号を一時記憶する２ライン分のラインメモリーと、前記２ライン分のラインメモリーの出力画像信号を選択するセレクターと、前記構成要素を総合的に制御するメモリーコントローラとによって構成される補填合成信号処理回路を装備する事で、前記代替え画素によるデータの補填表示ができる様に、前記液晶ライトバルブＢ用の入力画像データを予め処理してあることを特徴とする請求項１記載の投写型液晶表示装置。
【請求項６】
前記液晶ライトバルブＢに入力される前記第２及び第３の原色光の画像データの振幅レベル並びに画像データの連続性を検出する信号レベル判別器と、該信号レベル判別器の検出結果により一定レベル以上の画像データが単独一ドットの時は、前記液晶ライトバルブＡに入力される前記第１の原色光の画像データに対して係数Ｋ１を、また、一定レベル以上のデータが二ドット以上連続した時は係数Ｋ２が掛けられるよう構成された係数制御器とを装備して、前記液晶ライトバルブＢに入力される前記第２及び第３の画像データの内容に応じて、前記液晶ライトバルブＡに入力される第１の原色光の画像データの信号強度を補正することを特徴とする請求項１記載の投写型液晶表示装置。
【請求項７】
前記液晶ライトバルブＢは、画素電極と画素容量と画素トランジスタから成る画素と、前記画素トランジスタのゲートを選択駆動するシフトレジスタから成る垂直ドライバと、前記画素トランジスタのソースに画像データを供給するソースラインを選択駆動する水平ドライバを装備し、前記水平ドライバは一系列の水平シフトレジスタと、それぞれが第２及び第３の原色光の画像データ転送を受け持つ二系列のデータ転送路と、該データ転送路の入力信号色を切り替えるスイッチ回路と、前記水平用シフトレジスタの各一出力段に対しゲートが接続された２個づつのサンプリングトランジスタと、前記２個づつのサンプリングトランジスタは前記二系列のデータ転送路を各々のドレイン入力としソース出力は前記ソースラインに交互に接続する様構成されていると共に、これら全ての駆動ドライバの構成素子は前記液晶ライトバルブＢの画素を構成する能動素子群と同様に液晶ライトバルブＢ内に内蔵されていることを特徴とする請求項１記載の投写型液晶表示装置。
【発明の詳細な説明】
【０００１】
【産業上の利用分野】
本発明は、液晶ライトバルブを二枚用いた投写型液晶表示装置の光学系構成並びに表示される画像データの処理制御方法及び液晶ライトバルブ構造に関する。
【０００２】
【従来の技術】
従来からある２ライトバルブ方式の投写型液晶表示装置は、特公平６−１７９８０で代表される構成であった。  その構成を図１３に示す。
【０００３】
図１３に於いては、緑のフィルタ５ｂを有する液晶ライトバルブ５と、赤と青のフィルタ６ｃを有する液晶ライトバルブ６とによってそれぞれ強度変調を受けた色光がダイクロイックミラー４で合成されズームレンズ９を介してスクリーン１１に投写される訳であるが、投写合成画像に於ける各画素単位で見た場合、何れの画素も２原色光分の色光で画像合成を行っている結果、表示できない一原色光分の画像データが存在した。
【０００４】
【発明が解決しようとする課題】
しかし、上述の投写型液晶表示装置の構成では、投写合成画像の各画素中に於いて表示できない一原色光分の画像データを割愛せざるを得なかった。
【０００５】
この事は、動画像のような映像ソースを対象とした表示（例えば、ＮＴＳＣのビデオ入力）ではあまり大きな欠陥として目立ちにくかったが、パソコンの表示端末のように一ドット単位でフルカラー表示を行うキャラクタデータ表示を対象とした時には、表示色の欠落と言う重大な欠陥となり、２ライトバルブ方式の光学系を使用する事は不可能であった。
【０００６】
そこで本発明は、各画素単位で見ると２原色光合成である２ライトバルブ方式の光学系を採用しているにも拘らず、簡単な付加機能または電気的処理によりキャラクタなどのデータ信号入力時でも、色データの欠落が目立たない極めて良好な視認性の良い投写画像が得られる投写型液晶表示装置を実現する事を目的とする。
【０００７】
【課題を解決するための手段】
請求項１記載の発明は、投写光源と、前記投写光源からの白色光をＲＧＢ３原色光の内の第１の原色光と他の第２及び第３の原色光とに分離する色光分離手段と、前記第１の原色光の強度変調を行う液晶ライトバルブＡと、前記液晶ライトバルブＡと同一ピッチの画素構造で、且つ、前記第２の原色光に対応した色フィルターを装備した第２の原色光用画素及び前記第３の原色光に対応した色フィルターを装備した第３の原色光用画素を同一基板内に位置選択的に配置して前記第２及び第３の原色光の強度変調を行う液晶ライトバルブＢと、前記液晶ライトバルブＡ及び前記液晶ライトバルブＢにより強度変調された色光を光学的に合成する色光合成手段と、前記色光合成手段で合成された色光により形成された画像をスクリーンに拡大投写する投写レンズ手段とで構成される投写型液晶表示装置に於いて、前記液晶ライトバルブＢの前記第２の原色光用画素に隣接する前記第３の原色光用画素の存在によって表示できない第２の原色光用の画像データを、前記第２の原色光用の画像データを本来表示すべき位置の最近傍に存在する前記第２の原色光用画素を用いて表示すると共に、前記第３の原色光用画素に隣接する前記第２の原色光用画素の存在によって表示できない第３の原色光用の画像データを、前記第３の原色光用画像データを本来表示すべき位置（注目画素）の最近傍に存在する前記第３の原色光用画素（代替え画素）を用いて表示する（データの補填表示）手段を装備した事を特徴とする
請求項２記載の発明は、前記液晶ライトバルブＢ上の前記注目画素と前記代替え画素の中間に、前記液晶ライトバルブＡの画像データ上対応する画素が位置する様に、前記色光合成手段に於ける前記液晶ライトバルブＡと前記液晶ライトバルブＢとの光学的な重ね合わせの位置関係を設定した事を特徴とする。
【０００８】
請求項３記載の発明は、前記液晶ライトバルブＡに於いて強度変調される第１の原色光は白色光を構成するＲＧＢ３原色光の内の緑色光（Ｇ光）であって、前記液晶ライトバルブＢに存在する前記第２及び第３の原色光用画素は市松模様状に配列されている事を特徴とする。
【０００９】
請求項４記載の発明は、前記液晶ライトバルブＡ及び液晶ライトバルブＢに入力される画像信号の種類を判別する信号判別器を装備すると共に、前記液晶ライトバルブＡ及び液晶ライトバルブＢへの入力画像信号がキャラクタ表示を中心としたデータ表示信号の時には前記データの補填表示を行い、前記入力画像信号が前記キャラクタ表示を中心としたデータ表示信号以外の時には前記データの補填表示動作を停止できるよう構成した補填動作切り替え回路を装備した事を特徴とする。
【００１０】
請求項５記載の発明は、前記液晶ライトバルブＢに入力される前記第２及び第３の原色光の画像データが前記データの補填表示処理を必要とする画素であるか否かを判別する補填検出器と、前記液晶ライトバルブＢに入力される第２及び第３の原色光の画像データを選択切り替えする入力スイッチと、前記補填検出器の出力と前記入力スイッチの出力画像信号をミックスするミックス回路と、前記ミックス回路の出力画像信号を一時記憶する２ライン分のラインメモリーと、前記２ライン分のラインメモリーの出力画像信号を選択するセレクターと、前記構成要素を総合的に制御するメモリーコントローラとによって構成される補填合成信号処理回路を装備する事で、前記代替え画素によるデータの補填表示ができる様に、前記液晶ライトバルブＢ用の入力画像データを予め処理してある事を特徴とする。
【００１１】
請求項６記載の発明は、前記液晶ライトバルブＢに入力される前記第２及び第３の原色光の画像データの振幅レベル並びに画像データの連続性を検出する信号レベル判別器と、該信号レベル判別器の検出結果により一定レベル以上の画像データが単独一ドットの時は、前記液晶ライトバルブＡに入力される前記第１の原色光の画像データに対して係数Ｋ１を、また、一定レベル以上のデータが二ドット以上連続した時は係数Ｋ２が掛けられるよう構成された係数制御器とを装備して、前記液晶ライトバルブＢに入力される前記第２及び第３の画像データの内容に応じて、前記液晶ライトバルブＡに入力される第１の原色光の画像データの信号強度を補正する事を特徴とする。
【００１２】
請求項７記載の発明は、前記液晶ライトバルブＢは、画素電極と画素容量と画素トランジスタから成る画素と、前記画素トランジスタのゲートを選択駆動するシフトレジスタから成る垂直ドライバと、前記画素トランジスタのソースに画像データを供給するソースラインを選択駆動する水平ドライバを装備し、前記水平ドライバは一系列の水平シフトレジスタと、それぞれが第２及び第３の原色光の画像データ転送を受け持つ二系列のデータ転送路と、該データ転送路の入力信号色を切り替えるスイッチ回路と、前記水平用シフトレジスタの各一出力段に対しゲートが接続された２個づつのサンプリングトランジスタと、前記２個づつのサンプリングトランジスタは前記二系列のデータ転送路を各々のドレイン入力としソース出力は前記ソースラインに交互に接続する様構成されていると共に、これら全ての駆動ドライバの構成素子は前記液晶ライトバルブＢの画素を構成する能動素子群と同様に液晶ライトバルブＢ内に内蔵されている事を特徴とする。
【００１３】
【作用】
請求項１記載の発明では、前記液晶ライトバルブＢの前記第２の原色光用画素に隣接する前記第３の原色光用画素の存在によって表示できない第２の原色光用の画像データを、本来第２の原色光用の画像データを表示すべき位置の最近傍に存在する前記第２の原色光用画素を用いて表示すると共に、前記第３の原色光用画素に隣接する前記第２の原色光用画素の存在によって表示できない第３の原色光用の画像データを、本来第３の原色光用画像データを表示すべき位置（注目画素）の最近傍に存在する前記第３の原色光用画素（代替え画素）を用いてデータの補填表示をする事により、合成投写画像の解像度及び色の再現性を増し画質を向上させる事ができる。
【００１４】
請求項２記載の発明では、前記液晶ライトバルブＢ上の前記注目画素と前記代替え画素の中間に、前記液晶ライトバルブＡの画像データ上対応する画素が位置する様に、前記色光合成手段に於ける前記液晶ライトバルブＡと前記液晶ライトバルブＢとの光学的な重ね合わせの位置関係を設定した事により、色表現性が向上し見かけ上の解像度も良くなり合成投写画像にスーパーインポーズされた文字が滑らかに表現され判読し易くなる。
【００１５】
請求項３記載の発明では、前記液晶ライトバルブＡに於いて強度変調される第１の原色光を白色光を構成するＲＧＢ３原色光の内の緑色光（Ｇ光）とすると共に、前記液晶ライトバルブＢに存在する前記第２及び第３の原色光用画素を市松模様状に配列する事により、色表現性が向上し見かけ上の解像度も良くなり合成投写画像にスーパーインポーズされた文字が滑らかに表現され判読し易くなる。
【００１６】
請求項４記載の発明では、前記液晶ライトバルブＡ及び液晶ライトバルブＢに入力される画像信号の種類を判別する信号判別器を装備すると共に、前記液晶ライトバルブＡ及び液晶ライトバルブＢへの入力画像信号がキャラクタ表示を中心としたデータ表示信号の時には前記データの補填表示を行い、前記入力画像信号がデータ表示信号以外の時には前記データの補填表示動作を停止できるよう構成する事により、投写画像の種類によってデータの補填表示動作を選択できる為、動画像入力時には解像度を優先し、キャラクタデータ入力時には文字等の視認性を優先した表示モードの選択切り替えを自動的に行うことができる。
【００１７】
請求項５記載の発明では、前記液晶ライトバルブＢに入力される前記第２及び第３の原色光の画像データが前記データの補填表示処理を必要とする画素であるか否かを判別する補填検出器と、前記液晶ライトバルブＢに入力される第２及び第３の原色光の画像データを選択切り替えする入力スイッチと、前記補填検出器の出力と前記入力スイッチの出力画像信号をミックスするミックス回路と、前記ミックス回路の出力画像信号を一時記憶する２ライン分のラインメモリーと、前記２ライン分のラインメモリーの出力画像信号を選択するセレクターと、前記構成要素を総合的に制御するメモリーコントローラとによって構成される補填合成信号処理回路を装備する事で、前記代替え画素によるデータの補填表示ができる様に、前記液晶ライトバルブＢ用の入力画像データを予め処理してある事により、液晶ライトバルブに特別な機能を持たせなくてもデータの補填表示処理が施され電気的な投写画像の高解像度化ができる。
【００１８】
請求項６記載の発明では、前記液晶ライトバルブＢに入力される前記第２及び第３の原色光の画像データの振幅レベル並びに画像データの連続性を検出する信号レベル判別器と、該信号レベル判別器の検出結果により一定レベル以上の画像データが単独一ドットの時は、前記液晶ライトバルブＡに入力される前記第１の原色光の画像データに対して係数Ｋ１を、また、一定レベル以上のデータが二ドット以上連続した時は係数Ｋ２が掛けられるよう構成された係数制御器とを装備して、前記液晶ライトバルブＢに入力される前記第２及び第３の画像データの内容に応じて、前記液晶ライトバルブＡに入力される第１の原色光の画像データの信号強度を補正する事により、投写画像の表示データの違いにより生じる色合いバラツキ（全画素表示可能な液晶ライトバルブＡの表現色連続性及び面積効果に起因する色あいの片寄り）をなくす事ができると同時に、表示画像の色温度適正化が図れる。
【００１９】
請求項７記載の発明では、前記液晶ライトバルブＢは、画素電極と画素容量と画素トランジスタから成る画素と、前記画素トランジスタのゲートを選択駆動するシフトレジスタから成る垂直ドライバと、前記画素トランジスタのソースに画像データを供給するソースラインを選択駆動する水平ドライバを装備し、前記水平ドライバは一系列の水平シフトレジスタと、それぞれが第２及び第３の原色光の画像データ転送を受け持つ二系列のデータ転送路と、該データ転送路の入力信号色を切り替えるスイッチ回路と、前記水平用シフトレジスタの各一出力段に対しゲートが接続された２個づつのサンプリングトランジスタと、前記２個づつのサンプリングトランジスタは前記二系列のデータ転送路を各々のドレイン入力としソース出力は前記ソースラインに交互に接続する様構成されていると共に、これら全ての駆動ドライバの構成素子は前記液晶ライトバルブＢの画素を構成する能動素子群と同様に液晶ライトバルブＢ内に内蔵されている事により、液晶ライトバルブに入力する画像データに特別な処理を加えなくても拡大投写画像に対してデータの補填表示処理を施す事ができると共に、光学系及び駆動回路系を小型化する事ができる。
【００２０】
【実施例】
以下、本発明の実施例を図面を用いて詳細に説明する。
【００２１】
（実施例１）
図１は請求項１から７記載の発明に係わる投写型液晶表示装置の光学系の全体構成を示した概略構成図である。
【００２２】
ここで、光源１０１より出射された白色の光源光は、赤外線カットフィルタ１０２を介して熱線をカットされた後、色光分離手段である色分離ミラー１０３によってＲＧＢ３原色光の第１の原色光である緑色光（Ｇ光）と第２及び第３の原色光である赤色光（Ｒ光）＋青色光（Ｂ光）とに波長の選択分離が行われる。
【００２３】
この後、色分離ミラー１０３を透過した緑色光（Ｇ光）はミラー１０４で折り曲げられて液晶ライトバルブＡ１０５に到達しＧ色画像信号により強度変調を受ける。また、色分離ミラー１０３で反射した赤色光（Ｒ光）及び青色光（Ｂ光）は、ミラー１０７で折り曲げられてＲ光用及びＢ光用の色フィルターを装備し、且つ液晶ライトバルブＡと同一画素ピッチの画素構造を有する液晶ライトバルブＢに到達し第２及び第３の原色光用の画像信号によりの強度変調を受ける。
【００２４】
更に、液晶ライトバルブＡ及び液晶ライトバルブＢによりそれぞれの原色画像信号によって強度変調された投写色光は、色光合成手段である色合成ミラー１０８により合成されフルカラー画像出力として投写レンズ手段である投写レンズ１０９よりスクリーン１１０に拡大投写される。
【００２５】
以上の説明中の、２枚の液晶ライトバルブで色光に対し強度変調を行う電気的回路部分については、便宜上、図面および説明文から省略してある。（後述の実施例により詳しく説明する）
次に、図１の光学構成に於ける三原色光の合成概念について図２により詳しく説明する。
【００２６】
図１の液晶ライトバルブＡの画素は全て緑色光（Ｇ光）用の光変調器として働く（色フィルターは特に必要としない）のでその出射画像の画素構成は図２の色配列１１１となる。
【００２７】
また、液晶ライトバルブＢの画素は第２及び第３の原色光用の色フィルターを装備し赤色光（Ｒ光）及び青色光（Ｂ光）の光変調器として働くのでその出射画像の画素構成は図２の色配列１１２の様になる。
【００２８】
これら２枚の液晶ライトバルブで強度変調された投写光（色光）は色光合成手段である色合成ミラー１０８で合成され図２の色配列１１３の形で投影される。
【００２９】
ここで、色配列１１３に注目すると、一つ一つの画素で見た場合、ａ行の１の画素ではＲ光とＧ光、ａ行の２の画素ではＢ光とＧ光、ａ行の３の画素ではＲ光とＧ光、以下ｂ行ｃ行も同様にどの画素をとっても２原色光分の色表現しかできない事が分かる。
【００３０】
これに対し本発明ではａ行の１で表現できない青色光（Ｂ光）用の画像データをａ行の２の画素を用いて表示し、ａ行の２の画素で表現できない赤色光（Ｒ光）用の画像データをａ行の３の画素を用いて補填表示させる訳である。
【００３１】
以下ｂ行ｃ行も同様であるが、本動作の具体的な一実施例を図３のタイミングチャートにより概念的に説明する。
【００３２】
図３では、まず、データ転送クロック１２０に同期して同時に転送されてくる赤色光表示用のＲ色画像データ１２１並びに青色光表示用のＢ色画像データ１２２を表示可能な画素、即ち、表示に必要な原色光用の色フィルタを装備した画素の画像データ転送タイミングに合わせて出力するのである。
【００３３】
これは、ａ１画素への書き込みタイミングに於いて赤色画像データの１番目（Ｒ１）と２番目（Ｒ２）の画像データを、ａ２画素への書き込みタイミングに於いて青色画像データの２番目（Ｂ２）と３番目（Ｂ３）の画像データを、ａ３画素への書き込みタイミングに於いて赤色画像データの３番目（Ｒ３）と四番目（Ｒ４）をミックスした（以下、ａ４からａ６画素及びそれ以降の画素も同様）画像データ出力１２３の形で順次書き込む事によってＲ色及びＢ色全ての画像データを欠落する事なく液晶ライトバルブＢ上で表現する事が出来る訳である。
【００３４】
これをハード的に実際に構成した物が、図４の回路ブロック図である。
【００３５】
ここでは、図３のタイミングチャートの如くＲ光及びＢ光の画像データを処理する為、まず、データ転送クロック１２０によってＲ色画像データ１２１はフリップフロップ（以降ＦＦと略す）１３０によってデータ転送クロック１２０の１周期（１画素）分の遅延が、また、Ｂ色画像データ１２２はＦＦ１３２によって同じく１周期（１画素）分の遅延が施された後、リアルタイムの画像データとＲ光画像データは加算器１３１によって、Ｂ光画像データは加算器１３３によってそれぞれデータ加算が行われる。
【００３６】
次に、この加算器１３１および１３３の出力は選択スイッチ１３４に送られ表示可能色側の加算画像データが交互に選択されて、画像データ出力１２３として出力される。
【００３７】
以上動作によって、Ｒ色光及びＢ色光用の画像データは、全画像データが欠落する事なく液晶ライトバルブＢに送られて、それぞれの色光に対し強度変調が行われる事で画像データの補填合成処理が完了する訳である。
【００３８】
また、前述の画像データの補填合成処理に於いて、データ加算による方法で説明してきたが、表示画像の周波数特性を確保できる様それぞれのデータ値の比較によって得られた最大値を補填用データとして用いる方法であっても、その他の方法であっても全体の流れ概念は同一の考え方が使用できる。
【００３９】
また、説明の便宜上、図４のブロック図では１ビット構成によって表現されているが、実際は表示品質や仕様に合わせ複数ビット構成とする事でより優れた性能が発揮される。
【００４０】
また、画像データ出力１２３の処理に要した時間を、液晶ライトバルブＡに入力される緑色光の強度変調用のＧ色画像データに対しても考慮する（タイミングを揃える）必要がある事を付記しておく。
【００４１】
（実施例２）
図５は請求項２及び３記載の発明に係わる投写型液晶表示装置の画素合成法を表した概念図である。
【００４２】
ここで第１の原色光用の液晶ライトバルブＡでは、緑色光用の画像データに対しシャッターとして働く（特に色フィルタを必要としない）為、全画素が緑色光（Ｇ光）用の色配列２０１の形で画像が形成される。
【００４３】
また、第２及び第３の原色光用の液晶ライトバルブＢでは、全画素に赤色光（Ｒ光）と青色光（Ｂ光）用の色フィルターが市松模様状に装備されている結果、図５の色配列２０２のような形で画像が形成される。
【００４４】
更に、この二枚の液晶ライトバルブの光学的合わせ込み位置を、液晶ライトバルブＢ上の注目画素と代替え画素の中間に、液晶ライトバルブＡの画像データ上対応する画素が位置する様に設定した事で、投写合成される画像は図５で示した色配列２０３の様になる。
【００４５】
この為、画素を通常の同一位置重ね合わせにした場合、２画素で１ドット分の色表現（ＲＧＢ全原色光）が行われている所を、色配列２０３の方法では１．５画素で１ドット分の色表現が可能となる。
【００４６】
これは、図５中で示すように最も視感度の高い緑色光（Ｇ光）用の液晶ライトバルブＡは全てのドット表現ができる為、第２及び第３の原色光用の液晶ライトバルブＢとの光学的合わせを注目画素と代替え画素の中間に位置する事によって、図５中イ及びロで示した如く緑色光（Ｇ光）画素を中心にａ行の１とａ行の２とａ行の３の画素上に於いて、ＲＧＢの順番で３原色１ドット分（ａのイ）の色表現と、ＢＧＲの順番で３原色１ドット分（ａのロ）の色表現が、見かけ上、可能となるからである。
【００４７】
また、代替え画素と緑色光（Ｇ光）画素とのずれを、通常の同一位置合わせでは前後一ドットのズレが生じる所を半ドットのズレに押さえる事も可能になる。
【００４８】
以下、ｂ行ｃ行に於いても同様の表示結果が得られるので、特に３原色光で表現された白色文字はキャラクター構成ドットの継がりが滑らかとなる。
【００４９】
これは従来、低解像度の液晶ライトバルブを単にずらして見かけ上の解像度を改善する類の考案とはまったく異なり、少ない枚数の液晶ライトバルブで形成された投写画像にも拘らず、画面の全域にわたり表現色の連続性およびキャラクタの表現性に優れた投写画像を得る事ができる発明である。
【００５０】
（実施例３）
図６は請求項４記載の発明に係わる投写型液晶表示装置の一実施例で、その概略構成を示す回路ブロック図である。
【００５１】
基本的動作は前述の実施例１で説明に用いた図３のタイミングチャートに従い次のようである。
【００５２】
まず、Ｒ光及びＢ光の画像データを処理する為、データ転送クロック１２０によってＲ色画像データ１２１はフリップフロップ（以降ＦＦと略す）１３０によって、また、Ｂ色画像データ１２２はＦＦ１３２によって１周期（１画素）分遅らされてリアルタイムの画像データとそれぞれ赤色光用画像データは加算器１３１と青色光用画像データは加算器１３３によって常にデータ加算される。
【００５３】
この加算器１３１および１３３の出力は選択スイッチ１３４に送られ表示可能色側の加算画像データが交互に選択されて液晶ライトバルブＢへ画像データ出力１２３として出力される。
【００５４】
以上の動作に対して、全画素分の画像データを持つＧ色画像データ１３６を基に信号判別器１３５によってその信号形態を判断した結果を補填データ作成用のＦＦ１３０及びＦＦ１３２に伝える。具体的には入力信号形態がＮＴＳＣなどの動画像の場合ＦＦ１３０とＦＦ１３２のリセット端子にリセット信号を送りＦＦの動作を停める事によって液晶ライトバルブＢのデータ補填動作を停止させるよう表示方式の切り替え機能（請求項４に補填動作切り替え回路と記述）を付加した物が本実施例３である。
【００５５】
また、上述の信号判別動作は、フレーム毎のデータ変化の度合いを判断したり、厳密に動きベクトル検出を行いベクトル変移量により信号を判別する方法であっても、使用者が入力ソースに合わせて選択したスイッチ情報により手動的に切り替えても問題のない事は言うまでもない。
【００５６】
（実施例４）
図７は請求項５記載の発明に係わる投写型液晶表示装置の液晶ライトバルブ制御回路の概略構成を表す回路ブロック図である。
【００５７】
ここで、図１の構成中の第２及び第３の原色光用の液晶ライトバルブＢの入力画像データを、ライトバルブ入力以前に、表示データの補填処理を施す事で液晶ライトバルブに特別な機能や制御を施さなくても、本発明の実現を可能とする物である。
【００５８】
まず、Ｒ色画像データ１２１及びＢ色画像データ１２２は補填検出器４０１に入力され液晶ライトバルブＢの色フィルター構成との比較により表現可能な色光の画像データ転送タイミングかどうかが判断される。この判断結果により表現不可能なタイミング、即ち、色フィルターが表現出来ないタイミングにも係わらず画像データが存在すると判断された場合、一時データを保管して次の表示可能画素（代替え画素）の存在するタイミング（１ドット時間後）にその画像データをミックス回路４０４に出力する。
【００５９】
また、Ｒ色画像データ１２１及びＢ色画像データ１２２は同時に入力スイッチ４０２に入力されて色フィルター構成に合わせて交互に切り替えられてスルーでミックス回路４０４に送られる。
【００６０】
次に補填検出器４０１からの画像データ出力と入力スイッチ回路４０２からのスルー画像データがミックス回路４０４でライン毎に混合及び選択整理されて、液晶ライトバルブに表示される画像データが補填表示データの形式で並び替えが行われてラインメモリ（１）４０５またはラインメモリ（２）４０６に書き込まれる。  この２つのラインメモリは補填表示データ処理に要する時間と液晶ライトバルブでの画像データ書き込み時間との整合をとるための物で、リアルタイム処理が可能な場合はラッチでの代用や不要とする事も可能である。
【００６１】
次に、前述のラインメモリ（１）４０５とラインメモリ（２）４０６に一時蓄えられた補填表示データは、奇数行画像データ入力時には偶数行の補填表示データを、偶数行画像データ入力時には奇数行の補填表示データをセレクター４０７により交互に選択して、（データ補填された）画像データ出力１２３として液晶ライトバルブＢに送り込むよう構成されている。
【００６２】
また、これらの２ライン分のラインメモリの補填表示データの書き込み読み出し制御並びに補填検出器４０１・入力スイッチ４０２・ミックス回路４０４・セレクター４０７の動作タイミングを総合的にデータ転送クロック１２０に同期して制御しているのがメモリーコントローラ４０３である。
【００６３】
（実施例５）
図８は請求項６記載の発明に係わる投写型液晶表示装置の液晶ライトバルブ制御回路の動作を表すタイミングチャートである。
【００６４】
また、図９は請求項６記載の発明に係わる投写型液晶表示装置の液晶ライトバルブ制御装置の一実施例の概略を示す回路ブロック図である。
【００６５】
図８では、最初に第２及び第３の原色光用の液晶ライトバルブＢに入力される第２及び第３の原色光用の画像データ５０１（本説明の場合赤色光と青色光とする）と、データの連続性を判断する為の画像データ５０１をデータ転送クロックの一クロック分遅らせた遅延データ５０２とのデータ構造により第２及び第３の原色光の画像データ連続性を判断する。
【００６６】
これは、第２及び第３の原色光用の画像データ５０１と遅延データ５０２を一度加算してこの加算結果をさらに遅延データ５０２と乗算する事で得られた値によって判断する訳である。  即ち、図８のａからｇのタイミングで推移していく画像データに於いて、演算結果が１の時（ｂまたはｇのタイミング出力）は画像データは単独一ドットであり、演算結果が２の時（ｅとｆのタイミング）は画像データが連続した状態であると言える。
【００６７】
連続して存在する第２および第３の原色光用の画像データ５０１は第１の原色光用（本例では緑色光）の画像データと重ね合わせた時にデータの補填処理を行う事が難しい。これはデータが連続する事によって補填処理に使用したい画素にも常時表示したい画像データが存在する為であり、これは全画素存在する第１の原色光用の画像データと重ね合わされた際に色相の部分的片寄り（第２及び第３の原色光用のＲ光及びＢ光画像データ５０１が連続している部分だけ色相が第１の原色光Ｇ光寄りに見える）を生じる結果となる。
【００６８】
これに対し色相の片寄りを防止する為、第１の原色光用の画像データ（本例ではＧ光）に補正係数５０３を掛けて色バランスをとるようにした物が本実施例の構成である。
【００６９】
第１の原色光用の画像データに掛ける補正係数５０３は、図のように画像データ５０１が単独一ドットの表示位置（図中ｂ・ｇ）では係数Ｋ１（例えば０．７〜０．８）とし、画像データ５０１が連続する表示位置（図中ｅ・ｆ）では係数Ｋ２（例えば０．５）とする。これは、第２及び第３の原色光用の画像データ５０１が単独で存在する場合は隣接画素によってデータの補填ができる為、第１の原色光用のＧ光画像データに対し大きな補正係数を掛ける必要性がなく、また、第２及び第３の原色光用の画像データ５０１が連続して存在する場合は隣接画素によるデータ補填が困難な為、第１の原色光用の画像データに対し色フィルターの構成比や液晶ライトバルブＡ及びＢの透過光量等を考慮して０．５（Ｋ１より更に小さい係数）程度の補正係数５０３を掛ける事で色相バランスを保つ為である。
【００７０】
以上を具体的回路系によって実現したものを、概念的に表したのが図９の回路ブロック図である。
【００７１】
ここで、Ｒ色画像データ５０４とＢ色画像データ５０５はピーク検出器５０８に送られデータ表示部分、特に動画像表示内にスーパーインポーズされたキャラクタデータを抽出する。
【００７２】
ピーク検出器５０８の検出結果をＦＦ５０９に送り一データ転送時間（データ転送クロック５０７）の遅延データを作る。この遅延データとリアルデータ（５０８の出力）との差分検出結果を用い、Ｒ色及びＢ色画像データの連続性（図８に示す）を判断して係数を決定するのが係数セレクタ５１０である。
【００７３】
この係数セレクタ５１０では、前記２つの入力信号によって、Ｒ色及びＢ色の画像データがキャラクタ且つ連続データであると判断した場合、係数乗算器５１２に入力されるＧ色画像データ５０６に対して係数Ｋ２が、また、Ｒ色及びＢ色の画像データがキャラクタ且つ単独一ドットであると判断した場合、係数乗算器５１２に入力されるＧ色画像データ５０６に対して係数Ｋ１が掛けられるように乗算係数が判断決定される。
【００７４】
この決定された係数は、係数乗算器５１２に於いて、Ｒ色及びＢ色の画像データのデータ処理（係数決定）時間分の遅れを揃える用ＦＦ５１１でデーター転送クロック５０７の一データ転送時間分の遅延を与えられたＧ色画像データ５０６に対して係数乗算が行われて、液晶ライトバルブＡ用の画像データ５１３として出力されるよう構成されている。
【００７５】
（実施例６）
図１０は請求項６記載の発明に係わる投写型液晶表示装置の液晶ライトバルブ制御装置の一実施例５の演算部（係数セレクタ５１０）を簡略化した概略構成図である。
【００７６】
これは、前述の実施例５で説明した第１の原色光用の画像データの係数補正回路の構成中で用いた係数セレクタ５１０を簡易的に標準ゲートを用いたデコーダ構成に置き換えた一実施例である。
【００７７】
まず、係数セレクタ５１０に入力される第２及び第３の原色光用の画像データ判別結果とその遅延データに注目した時、その値は、２状態＋データ無しの状態が抽出可能であれば以降の動作機能を満足する事ができる。
【００７８】
よって、その一状態である図９中のピーク検出器５０８の出力（図１０中のＲ・Ｂで表した端子入力）と図９中のＦＦ５０９の出力（図１０中のＲ・Ｂｎ＋１で表した端子入力）のデータアンド条件、即ち、第２及び第３の原色光用の画像データが連続した状態にＨＩ出力となるＡＮＤ６０１のゲート出力を補正係数Ｋ２の選択に用いると共に、もう一つの状態であるピーク検出器５０８の出力がＬＯ（０）でＦＦ５０９の出力がＨＩ（１）となる第２及び第３の原色光用の画像データが単独の状態時にＨＩ出力となるインバーター６０２及びＡＮＤ６０３から成るゲート出力を補正係数Ｋ１の選択に用いる事で前述の２状態をデコードするものである。
【００７９】
また、上記両出力がＬＯ（０）の場合が、データ無し状態である（画像データの係数補正処理は不要）事は言うまでもない。
【００８０】
（実施例７）
図１１は請求項６記載の発明に係わる投写型液晶表示装置の液晶ライトバルブ制御装置の実施例５の改良構成を示した回路ブロック図である。
【００８１】
ここで、Ｒ色画像データ５０４とＢ色画像データ５０５はピーク検出器５０８に送られデータ表示部分、特に動画像表示内にスーパーインポーズされたキャラクタデータを抽出する。
【００８２】
ピーク検出器５０８の検出結果をＦＦ５０９に送り一データ転送時間（データ転送クロック５０７）の遅延データを作る。この遅延データとリアルデータ（５０８の出力）との差分検出結果を用い、Ｒ色及びＢ色画像データの連続性（図８に示す）を判断して係数を決定するのが係数セレクタ５１０である。
【００８３】
この係数セレクタ５１０では、前記２つの入力信号によって、Ｒ色及びＢ色の画像データがキャラクタ且つ連続データであると判断した場合、係数乗算器５１２に入力されるＧ色画像データ５０６に対して係数Ｋ２が、また、Ｒ色及びＢ色の画像データがキャラクタ且つ単独一ドットであると判断した場合、係数乗算器５１２に入力されるＧ色画像データ５０６に対して係数Ｋ１が掛けられるように乗算係数が判断決定される。
【００８４】
この決定された係数は、係数乗算器５１２に於いて、Ｒ色及びＢ色の画像データのデータ処理（係数決定）時間分の遅れを揃える用ＦＦ５１１でデーター転送クロック５０７の一データ転送時間分の遅延を与えられたＧ色画像データ５０６に対して係数乗算が行われて、液晶ライトバルブＡ用の画像データ５１３として出力されるよう構成されている基本部分は実施例５と同様であるが、改良の一例として、更に、同期信号５１４を新たな入力信号として用い、その入力信号（表示される画像データ）がどんな形態（例えば、ＮＴＳＣ動画とかＶＧＡの様なデータ信号等）なのか判別する信号判別器５１５を追加装備して、この信号判別器５１５の判別結果によって係数セレクタ５１０の動作をＯＮ・ＯＦＦさせて、Ｇ色画像データ５０６に対する係数乗算動作を制御（例えば、入力信号がＶＧＡデータ信号の時にＯＮ、ＮＴＳＣビデオ信号の時にはＯＦＦ）するよう構成されているのが本実施例である。
【００８５】
以上、実施例５〜７に於いて、説明簡略化の為、処理回路系を１ビット構成で説明してきたが、必要性能に応じて多ビット化すればその検出及び補正性能が向上する事は言うまでもない。
【００８６】
（実施例８）
図１２は請求項７記載の発明に係わる投写型液晶表示装置の液晶ライトバルブＢの内部構成を表す概略構成図である。
【００８７】
ここでは、最初に行選択用の垂直ドライバ７０２の出力Ｙ１によって１行目のゲート線７４０が選択される。この後、水平シフトレジスタ７０１の出力Ｘ１によって選択された１列目のサンプリングトランジスタ７０８と２列目のサンプリングトランジスタ７０９が、スイッチ回路７０３を介して供給されるＲ色画像データ７０４とＢ色画像データ７０５をデータ転送路７０６及び７０７からそれぞれのソース線７１４・７１５に送り込む。
【００８８】
これらにより、画素トランジスタ７２０と画素電極７２１と画素容量７２２（右下画素７３８にて代表指示、全画素同一構成）から成る画素７２３にサンプリングトランジスタ７０８からの画像データ出力がソース線７１４から、また、画素７２４にサンプリングトランジスタ７０９からの画像データ出力がソース線７１５を介してそれぞれ書き込まれて画像表示される。
【００８９】
次に、水平シフトレジスタ７０１の出力Ｘ２によって選択された３列目のサンプリングトランジスタ７１０と４列目のサンプリングトランジスタ７１１が、スイッチ回路７０３を介して供給されるＲ色画像データ７０４とＢ色画像データ７０５をデータ転送路７０６及び７０７からそれぞれのソース線に送り込む。
【００９０】
この時、画素トランジスタ７２０と画素電極７２１と画素容量７２２（右下画素７３８にて代表指示、全画素同一構成）から成る画素７２５にサンプリングトランジスタ７１０からの画像データ出力がソース線７１６から、また、画素７２６にサンプリングトランジスタ７１１からの画像データ出力がソース線７１７を介して書き込まれて画像表示される。
【００９１】
この動作は、水平シフトレジスタ７０１の出力Ｘｎによって選択されたＸｎ×２−１列目のサンプリングトランジスタ７１２とＸｎ×２列目のサンプリングトランジスタ７１３が、スイッチ回路７０３を介して供給されるＲ色画像データ７０４とＢ色画像データ７０５をソース線７１８・７１９をそれぞれ介して画素７２７及び画素７２８に送り込むまで継続される。
【００９２】
この後、行選択用の垂直ドライバ７０２が出力Ｙ２の２行目のゲート線７４１を選択する。更に、水平シフトレジスタ７０１の出力Ｘ１によって選択された１列目のサンプリングトランジスタ７０８と２列目のサンプリングトランジスタ７０９が、スイッチ回路７０３を介して供給されるＲ色画像データ７０４とＢ色画像データ７０５をデータ転送路７０６及び７０７からそれぞれのソース線に送り込み１行目と同様に画素７２９から画素７３４までの画像データの書き込みを行う。
【００９３】
以上の動作をＹｎ行出力のゲート線７４２で選択された画素７３５から画素７３８の行ラインまで繰り返して、一回の画像データの書き込みを完了する訳であるが、液晶ライトバルブＢの色フィルタ構成に合わせてスイッチ回路７０３を切り替える、例えば、市松模様の構成であれば垂直ドライバの行ライン切り替え毎にスイッチを反転させる事で、画像データの書き込み行が変わる毎に奇数列と偶数列で色の違う表示データが自動的に画素に送り込まれる。
【００９４】
また、色フィルタ構成がストライプ状であれば色順に合わせてスイッチ回路７０３を常時固定させる事で、表示データを色フィルタの配列と同じ列に書き込む事ができ、特別に液晶ライトバルブの表示入力である画像データに対してデータ順の並び替えや演算処理を施さなくても本発明の請求項７の実現ができるものである。
【００９５】
なお、図中ＣＬＹは垂直ドライバのシフトクロック、ＣＬＸは水平シフトレジスタのシフトクロック、ＶＤＤＸ・ＶＤＤＹ・ＶＳＳは垂直及び水平ドライバの電源を表す。また、図中構成の素子は全て液晶ライトバルブ構成のガラス基板上に、シリコンまたはポリシリコンまたはアモルファスシリコン等によって造り込まれている物である事を付記しておく。
【００９６】
【発明の効果】
請求項１記載の発明によれば、各画素単位では２原色光よる合成であるにもかかわらず、投写合成画像の一画素中では表現できない一原色光分の画像データを、液晶ライトバルブＢ中の表現するべき注目画素の最近傍の代替え画素によって代わりに表示表現する事で、色画像データの欠落を防止し、フルカラーの文字視認性に優れた色再現性の良い投写型液晶表示装置を実現できる。また、フルカラー対応では通常３枚の液晶ライトバルブを必要とする所を２枚の液晶ライトバルブで光学系を構成できる為、光学系及び制御回路系の軽量化小型化を図る事ができる。
【００９７】
請求項２及び３記載の発明によれば、第１の原色光用の液晶ライトバルブＡはＲＧＢ３原色の内の緑色光用として、第２及び第３の原色光用の液晶ライトバルブＢは赤色光及び青色光用の画素が市松模様状に配列され、液晶ライトバルブＡの液晶ライトバルブＢとの光学的重ね合わせ位置を注目画素と代替え画素の中間に設定した事で、合成投写画像にスーパーインポーズされた文字が滑らかに表現されて判読性が向上すると共に、色表現性が増し見かけ上の解像度も良くなる。
【００９８】
また、フルカラー対応では通常３枚の液晶ライトバルブを必要とする所を２枚の液晶ライトバルブで光学系を構成できる為、光学系及び制御回路系の軽量化小型化が図れる。
【００９９】
請求項４記載の発明によれば、液晶ライトバルブＡ及び液晶ライトバルブＢに入力される画像信号の種類を判別する信号判別器を装備すると共に、前記液晶ライトバルブＡ及び液晶ライトバルブＢへの入力画像信号がキャラクタ表示を中心としたデータ表示信号の時には前記データの補填表示を行い、前記入力画像信号が前記キャラクタ表示を中心としたデータ表示信号以外の時には前記データの補填表示動作を停止できるよう構成した補填動作切り替え回路を装備した事により、ＸＧＡなどのパソコンデータ表示時には表示キャラクタをより読み易く、また、ＮＴＳＣなどの動画像入力時には画面全体の解像度を優先した表示が選択されるような表示モードの自動選択機能を表示装置に持たせる事ができる。
【０１００】
また、フルカラー対応では通常３枚の液晶ライトバルブを必要とする所を２枚の液晶ライトバルブで光学系を構成できる為、光学系及び制御回路系の軽量化小型化が図れる。
【０１０１】
請求項５記載の発明によれば、光学的に重ね合わされた合成投写画像の一画素中で表現できない一原色分の画像データを補填表示する為の補填合成信号処理回路を装備する事で、代替え画素によるデータの補填表示ができる様に、液晶ライトバルブＢの入力画像データを予めデータの補填合成処理してある事で、液晶ライトバルブ構造に特別な手を加える事なく、投写画像に電気的なフルカラー高解像度化処理を施す事ができる。また、フルカラー対応では通常３枚の液晶ライトバルブを必要とする所を２枚の液晶ライトバルブで光学系を構成できる為、光学系及び制御回路系の軽量化小型化が図れる。
【０１０２】
請求項６記載の発明によれば、係数制御器を装備して、前記液晶ライトバルブＢに入力される前記第２及び第３の画像データの内容に応じて、前記液晶ライトバルブＡに入力される第１の原色光の画像データの信号強度を補正する事より、入力画像データの対象、例えば、パソコンまたはテレビの様な違いや、画像データの連続性、例えば、ベタのキャラクタ表示と一ドット構成の文字表現のような違いにより生じる部分的な色合いのバラツキ（全画素表示可能な液晶ライトバルブＡの表現色連続性及び面積効果に起因する色あいの片寄り）をなくす事ができると同時に、投写画像の色温度適正化が実現できる。  また、フルカラー対応では通常３枚の液晶ライトバルブを必要とする所を２枚の液晶ライトバルブで光学系を構成できる為、光学系及び制御回路系の軽量化小型化が図れる。
【０１０３】
請求項７記載の発明によれば、第２第３の原色光用の画像データを選択的に画素に書き込む構造を持つ駆動ドライバを液晶ライトバルブＢの画素を構成する能動素子群と同様に液晶ライトバルブＢ内に内蔵させている事で、液晶ライトバルブに入力される画像データに特別な処理を加えなくても、投写型液晶表示装置に本発明のデータの補填作用を持たせる事ができる。また、フルカラー対応では通常３枚の液晶ライトバルブを必要とする所を２枚の液晶ライトバルブで光学系を構成できる為、光学系及び制御回路系の軽量化小型化が図れる。
【図面の簡単な説明】
【図１】本発明の請求項１から７に関わる基本構成の一実施例を表す概略構成図。
【図２】本発明の請求項１に関わる一実施例の構成を表す概略構成図。
【図３】本発明の請求項１に関わる一実施例の概念を表すタイミングチャート。
【図４】本発明の請求項１に関わる一実施例の構成を表す回路ブロック図。
【図５】本発明の請求項２及び請求項３に関わる一実施例の構成を表す概略構成図。
【図６】本発明の請求項４に関わる一実施例の構成を表す回路ブロック図。
【図７】本発明の請求項５に関わる一実施例の構成を表す回路ブロック図。
【図８】本発明の請求項６に関わる一実施例の概念を表すタイミングチャート。
【図９】本発明の請求項６に関わる一実施例の構成を表す回路ブロック図。
【図１０】本発明の請求項６に関わる実施例５の改良方法を表す回路ブロック図。
【図１１】本発明の請求項６に関わる実施例５の改良方式を表す回路ブロック図。
【図１２】本発明の請求項７に関わる一実施例の構成を表す概略構成図。
【図１３】従来例を表す概略構成図。
【符号の説明】
１０１  光源
１０２  赤外線カットフィルタ
１０３  色分離ミラー
１０４  ミラー
１０５  液晶ライトバルブＡ
１０６  液晶ライトバルブＢ
１０７  ミラー
１０８  色合成ミラー
１０９  投写レンズ
１１０  スクリーン
１２０  データ転送クロック
１２１  Ｒ色画像データ
１２２  Ｂ色画像データ
１２３  画像データ出力
１３０  ＦＦ
１３１  加算器
１３２  ＦＦ
１３３  加算器
１３４  選択スイッチ
１３５  信号判別器
１３６  Ｇ色画像データ
２０１  色配列
２０２  色配列
２０３  色配列
４０１  補填検出器
４０２  入力スイッチ
４０３  メモリーコントローラ
４０４  ミックス回路
４０５  ラインメモリ（１）
４０６  ラインメモリ（２）
４０７  セレクター
５０１  画像データ（Ｒ光・Ｂ光）
５０２  遅延データ
５０３  補正係数
５０４  Ｒ色画像データ
５０５  Ｂ色画像データ
５０６  Ｇ色画像データ
５０７  データ転送クロック
５０８  ピーク検出器
５０９  ＦＦ
５１０  係数セレクタ
５１１  ＦＦ
５１２  係数乗算器
５１３  画像データ（液晶ライトバルブＡ用）
５１４  同期信号
５１５  信号判別器
６０１  ＡＮＤ
６０２  インバーター
６０３  ＡＮＤ
７０１  水平シフトレジスタ
７０２  垂直ドライバ
７０３  スイッチ回路
７０４  Ｒ色画像データ
７０５  Ｂ色画像データ
７０６  データ転送路
７０７  データ転送路
７０８〜７１３  サンプリングトランジスタ
７１４〜７１９  ソース線
７２０  画素トランジスタ
７２１  画素電極
７２２  画素容量
７２３〜７３８  画素
７４０〜７４２  ゲート線
【図１】
0003546502.tif 000002
【図２】
0003546502.tif 000003
【図３】
0003546502.tif 000004
【図４】
0003546502.tif 000005
【図５】
0003546502.tif 000006
【図６】
0003546502.tif 000007
【図７】
0003546502.tif 000008
【図８】
0003546502.tif 000009
【図９】
0003546502.tif 000010
【図１０】
0003546502.tif 000011
【図１１】
0003546502.tif 000012
【図１２】
0003546502.tif 000013
【図１３】
0003546502.tif 000014